(57)【要約】【課題】番組情報を取得する際に番組の録画が中断されてしまうのを防止するとともに、ユーザによる番組の視聴が中断されてしまうのを防止することが可能な受信装置を提供する。【解決手段】このＨＤＤレコーダ１００（受信装置）は、放送波により放送信号とともに番組情報を受信可能な受信部２２と、取得済の現在のＥＰＧ９０の情報によって構成されるＥＰＧに基づいて、放送信号を受信する時間帯のうち番組の放送がある時間帯を判断し、番組の放送がある時間帯を除く時間帯に放送受信部２２に新しい番組情報を取得させる制御を行う制御部２１とを備える。【選択図】図１
2013211746.tif 000002
【特許請求の範囲】
【請求項１】
放送波により放送信号とともに番組情報を受信可能な放送受信部と、
取得済の現在の番組情報によって構成される電子番組表に基づいて、放送信号を受信する時間帯のうち所定の時間帯を判断し、前記所定の時間帯を除く時間帯に前記放送受信部に新しい番組情報を取得させる制御を行う制御部とを備えた、受信装置。
【請求項２】
前記所定の時間帯は、ユーザにより視聴される可能性の高い放送がある時間帯である、請求項１に記載の受信装置。
【請求項３】
前記所定の時間帯を除く時間帯は、少なくとも、番組が放送されていない時間帯を含む、請求項１または２に記載の受信装置。
【請求項４】
前記所定の時間帯を除く時間帯は、番組が放送されている時間帯で、かつ、ユーザが視聴しないことが予測される時間帯を含む、請求項３に記載の受信装置。
【請求項５】
番組が放送されている時間帯で、かつ、ユーザが視聴しないことが予測される時間帯は、前記所定の時間帯の後で、かつ、番組が終了する時刻までの番組終了直前の時間帯を含む、請求項４に記載の受信装置。
【請求項６】
前記放送受信部は、複数個設けられ、
前記制御部は、取得済の現在の電子番組表に基づいて、複数個の前記放送受信部のうちの少なくとも１つの前記放送受信部により受信されている放送局の番組が放送されていないと判断した場合に、番組が放送されていないと判断された前記放送局の放送波を受信する前記放送受信部に新しい番組情報を取得させる制御を行うように構成されている、請求項１〜５のいずれか１項に記載の受信装置。
【請求項７】
前記放送受信部により受信された前記放送信号に基づく映像を２４時間連続して記録するための映像記録部をさらに備え、
前記制御部は、取得済の現在の電子番組表に基づいて、番組が放送されていないと判断した場合には映像の記録を停止して前記放送受信部に新しい番組情報を取得させる制御を行うように構成されている、請求項１〜６のいずれか１項に記載の受信装置。
【請求項８】
前記制御部は、新しい番組情報を取得した後、次の番組が開始されるまでの間のタイミングで映像の記録を再開させる制御を行うように構成されている、請求項７に記載の受信装置。
【請求項９】
前記制御部は、取得済の現在の電子番組表と、取得される新しい番組情報によって構成される電子番組表とを比較し、番組が変更されていると判断した場合には変更された前記番組についての映像の記録を停止する制御を行うように構成されている、請求項７または８に記載の受信装置。
【発明の詳細な説明】
【技術分野】
【０００１】
この発明は、受信装置に関し、特に、番組情報を取得可能な受信装置に関する。
【背景技術】
【０００２】
従来、番組情報を取得可能な受信装置が知られている（たとえば、特許文献１参照）。
【０００３】
上記特許文献１には、放送波により放送信号とともに番組情報を受信可能なデジタルチューナ部（放送受信部）と、人の存在を検知可能な人感センサと、デジタルチューナ部に新しい番組情報を取得させる制御を行うＣＰＵ（制御部）とを備えた、放送信号受信装置（受信装置）が開示されている。この放送信号受信装置は、人感センサにより人の存在を検知した際にデジタルチューナ部に新しい番組情報を取得させる制御を行うように構成されている。
【先行技術文献】
【特許文献】
【０００４】
【特許文献１】特開２０１１−１９３２６７号公報
【発明の概要】
【発明が解決しようとする課題】
【０００５】
しかしながら、上記特許文献１の放送信号受信装置では、ユーザ（人）が番組を視聴している場合など、人感センサにより人の存在が検知される場合に、新しい番組情報を取得する制御が行われるので、ユーザの視聴中にチューナ部により受信する放送局が番組情報を配信する他の放送局に自動で切り替わってしまう場合があると考えられる。この場合には、番組情報を取得する際に、番組の途中で受信が中断されてしまうので、録画中の場合には番組の録画が中断されるとともに、視聴中の場合にはユーザによる番組の視聴が中断されてしまう場合があるという問題点がある。
【０００６】
この発明は、上記のような課題を解決するためになされたものであり、この発明の１つの目的は、番組情報を取得する際に番組の録画が中断されてしまうのを防止するとともに、ユーザによる番組の視聴が中断されてしまうのを防止することが可能な受信装置を提供することである。
【課題を解決するための手段】
【０００７】
この発明の一の局面による受信装置は、放送波により放送信号とともに番組情報を受信可能な放送受信部と、取得済の現在の番組情報によって構成される電子番組表に基づいて、放送信号を受信する時間帯のうち所定の時間帯を判断し、所定の時間帯を除く時間帯に放送受信部に新しい番組情報を取得させる制御を行う制御部とを備える。
【０００８】
この一の局面による受信装置では、上記のように、取得済の現在の番組情報によって構成される電子番組表に基づいて、放送信号を受信する時間帯のうち所定の時間帯を判断し、所定の時間帯を除く時間帯に放送受信部に新しい番組情報を取得させる制御を行う制御部を設けることによって、所定の時間帯に、番組情報を取得するために、放送受信部が他の放送局に切り替わってしまうのを防止することができるので、番組情報を取得する際に、番組の途中で受信が中断されてしまうのを防止することができる。その結果、番組情報を取得する際に番組の録画が中断されてしまうのを防止するとともに、ユーザによる番組の視聴が中断されてしまうのを防止することができる。
【０００９】
上記一の局面による受信装置において、好ましくは、所定の時間帯は、ユーザにより視聴される可能性の高い放送がある時間帯である。このように構成すれば、ユーザにより視聴される可能性の高い放送がある時間帯を除く時間帯に番組情報を取得することができるので、番組情報を取得する際に、番組の途中で受信が中断されてしまうのを容易に防止することができる。
【００１０】
上記一の局面による受信装置において、好ましくは、所定の時間帯を除く時間帯は、少なくとも、番組が放送されていない時間帯を含む。このように構成すれば、番組が放送されていない時間帯に番組情報を取得することができるので、番組情報を取得する際に、番組の途中で受信が中断されてしまうのを容易に防止することができる。
【００１１】
この場合、好ましくは、所定の時間帯を除く時間帯は、番組が放送されている時間帯で、かつ、ユーザが視聴しないことが予測される時間帯を含む。このように構成すれば、番組が放送されている時間帯でも、ユーザが視聴しないことが予測される時間帯に番組情報を取得することができるので、番組情報を効果的に取得することができる。
【００１２】
上記所定の時間帯を除く時間帯は、番組が放送されている時間帯で、かつ、ユーザが視聴しないことが予測される時間帯を含む構成において、好ましくは、番組が放送されている時間帯で、かつ、ユーザが視聴しないことが予測される時間帯は、所定の時間帯の後で、かつ、番組が終了する時刻までの番組終了直前の時間帯を含む。このように構成すれば、番組終了直前のユーザが視聴しないことが予測される時間帯に番組情報を取得することができるので、番組情報を取得する際に、番組の途中で受信が中断されてしまうのを確実に防止することができる。
【００１３】
上記一の局面による受信装置において、好ましくは、放送受信部は、複数個設けられ、制御部は、取得済の現在の電子番組表に基づいて、複数個の放送受信部のうちの少なくとも１つの放送受信部により受信されている放送局の番組が放送されていないと判断した場合に、番組が放送されていないと判断された放送局の放送波を受信する放送受信部に新しい番組情報を取得させる制御を行うように構成されている。このように構成すれば、番組が放送されている放送局については、継続して番組を受信しながら、番組が放送されていない放送局に対応する放送受信部を用いて番組情報を確実に取得することができる。
【００１４】
上記一の局面による受信装置において、好ましくは、放送受信部により受信された放送信号に基づく映像を２４時間連続して記録するための映像記録部をさらに備え、制御部は、取得済の現在の電子番組表に基づいて、番組が放送されていないと判断した場合には映像の記録を停止して放送受信部に新しい番組情報を取得させる制御を行うように構成されている。このように構成すれば、映像記録部に番組を２４時間記録させる設定を行っている場合でも、番組の放送がないときに番組情報が取得されるので、番組を撮り損ねることなく番組情報を取得することができる。
【００１５】
この場合、好ましくは、制御部は、新しい番組情報を取得した後、次の番組が開始されるまでの間のタイミングで映像の記録を再開させる制御を行うように構成されている。このように構成すれば、新しい番組情報を取得する際に、映像の記録を停止させても、次の番組の開始前には記録が再開されるので、番組を撮り損ねるのを確実に防止することができる。
【００１６】
上記映像記録部を備える構成において、好ましくは、制御部は、取得済の現在の電子番組表と、取得される新しい番組情報によって構成される電子番組表とを比較し、番組が変更されていると判断した場合には変更された番組についての映像の記録を停止する制御を行うように構成されている。このように構成すれば、番組が変更されている場合にも、ユーザが意図しない番組を記録するのを防止することができるので、省エネ化および映像記録部の容量の削減化を図ることができる。
【発明の効果】
【００１７】
本発明によれば、上記のように、番組情報を取得する際に番組の録画が中断されてしまうのを防止するとともに、ユーザによる番組の視聴が中断されてしまうのを防止することができる。
【図面の簡単な説明】
【００１８】
【図１】本発明の第１実施形態によるＨＤＤレコーダの構成を示したブロック図である。
【図２】本発明の第１実施形態によるＨＤＤレコーダのＥＰＧの内容を示した図である。
【図３】本発明の第１実施形態によるＨＤＤレコーダのＥＰＧ更新処理を説明するためのフローチャートである。
【図４】本発明の第２実施形態によるＨＤＤレコーダの構成を示したブロック図である。
【図５】本発明の第２実施形態によるＨＤＤレコーダのＥＰＧの内容を示した図である。
【図６】本発明の第２実施形態によるＨＤＤレコーダのＥＰＧ更新処理を説明するためのフローチャートである。
【発明を実施するための形態】
【００１９】
（第１実施形態）
【００２０】
以下、図１および図２を参照して、本発明の第１実施形態によるＨＤＤレコーダ１００の構成について説明する。
【００２１】
本発明の第１実施形態によるＨＤＤ（Ｈａｒｄ  ｄｉｓｋ  ｄｒｉｖｅ）レコーダ１００は、図１に示すように、装置本体１０の制御回路部２０が、アンテナ４０およびディスプレイ装置５０にそれぞれアンテナケーブル６０および映像・音声ケーブル７０を介して接続されることによって、放送局から受信されたテレビ番組を視聴したり記録することが可能なように構成されている。また、ＨＤＤレコーダ１００には、図１に示すように、ＨＤＤレコーダ１００を遠隔操作するためのリモコン送信機８０が設けられている。なお、ＨＤＤレコーダ１００は、本発明の「受信装置」の一例である。
【００２２】
ここで、本実施形態では、制御回路部２０には、図１に示すように、ＨＤＤレコーダ１００の制御を行う制御部２１が設けられている。制御部２１については、後ほど詳細に説明する。また、制御回路部２０には、アンテナ４０によって受信された放送波から所望の放送局の信号波を選局して受信する受信部２２が設けられている。また、受信部２２は、放送波により放送信号と後述するＥＰＧ９０（Ｅｌｅｃｔｒｉｃ  Ｐｒｏｇｒａｍ  Ｇｕｉｄｅ）（電子番組表）（図２参照）の情報を受信可能に構成されている。なお、受信部２２は、本発明の「放送受信部」の一例である。また、ＥＰＧ９０の情報は、本発明の「番組情報」の一例である。
【００２３】
また、受信部２２で受信された信号波から放送信号としての映像・音声信号およびＥＰＧ９０の情報を含むサービス情報（ＰＳＩ／ＳＩ：Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を分離するデマルチプレクサ（ＤＥＭＵＸ）２３と、デマルチプレクサ（ＤＥＭＵＸ）２３によって分離された映像・音声信号をデコード（復号）するデコーダ２４と、デマルチプレクサ（ＤＥＭＵＸ）２３によって分離されたサービス情報（ＰＳＩ／ＳＩ）に基づいて制御部２１によって作成されたＥＰＧ９０を保存するメモリ部２５とを備えている。
【００２４】
また、ＥＰＧ９０の情報は、ホスト局の放送波とともに、１日複数回（５回〜１６回：配信回数は放送局によって異なる）所定の時間に配信される前述のサービス情報（ＰＳＩ／ＳＩ）に含まれる形で配信されている。そして、サービス情報（ＰＳＩ／ＳＩ）が含まれた放送波を受信した上で、ＨＤＤレコーダ１００によってＥＰＧ９０が内部的に作成される。
【００２５】
また、制御回路部２０は、図１に示すように、ＨＤＤレコーダ１００の内部機器に電源を供給する電源部２６と、リモコン送信機８０からのリモコン信号を受光するリモコン受光部２７と、映像・音声データを記録するＨＤＤ部（ハードディスクドライブ部）２８と、制御部２１の制御プログラムを格納するプログラム格納メモリ部２９と、制御部２１から出力指示された文字情報や色情報に基づく映像データを、ディスプレイ装置５０により出力される受信映像データに組み込む処理を行うＯＳＤ部（オンスクリーンディスプレイ部）３０と、映像出力端子および音声出力端子から構成されディスプレイ装置５０への接続端子となるＡＶ出力端子３１とをさらに備えている。ＨＤＤ部２８は、受信部２２によって受信されたテレビ番組の信号波がデコーダ２４によって記録可能なデータ形式に変換された映像・音声データを記録可能なように構成されている。なお、ＨＤＤ部２８は、本発明の「映像記録部」の一例である。
【００２６】
また、図２に示すように、ＨＤＤレコーダ１００が有するＯＳＤ（オンスクリーンディスプレイ）機能によって、ＥＰＧを視認可能なようにディスプレイ装置５０に表示可能である。ＥＰＧ９０には、ＥＰＧ９０の情報を配信するホスト局（ＡＡＡ放送）および非ホスト局（ＢＢＢ放送）の所定時刻における番組が表示されている。たとえば、ＢＢＢ放送の５時から６時の時間帯には、天気予報が放送されることを示している。また、ＢＢＢ放送の２４時から２７時の時間帯には、番組が放送されていないことを示している。また、ＡＡＡ放送の７時から８時の時間帯には、情報番組とともにＥＰＧ９０の情報が配信されていることを示している。また、ＡＡＡ放送の２６時から２７時の時間帯には、番組の放送はなくＥＰＧ９０の情報のみが配信されていることを示している。また、ユーザは、このＥＰＧ９０を参照することによって、テレビ番組の記録予約を行うことが可能なように構成されている。
【００２７】
また、受信部２２は、映像および音声データを含む高周波デジタル変調信号のうちから任意に選択された周波数のデジタル変調信号を取り出すように構成され、選択されたデジタル変調信号を復調して出力する機能を有するように構成されている。また、デマルチプレクサ（ＤＥＭＵＸ）２３は、受信部２２から出力された信号を、映像信号、音声信号およびサービス情報（ＰＳＩ／ＳＩ）に分離するとともに、分離された映像信号および音声信号をデコーダ２４に供給する一方、サービス情報（ＰＳＩ／ＳＩ）をバス３２を介して制御部２１に供給する機能を有するように構成されている。また、デコーダ２４は、映像信号および音声信号のそれぞれに対してデコード処理（符号の復号化）を行い、映像データおよび音声データを生成する機能を有するように構成されている。なお、映像データおよび音声データはそれぞれＤ／Ａ変換処理（デジタル／アナログ変換）がなされた上で、ＡＶ出力端子３１から装置本体１０外部に接続されたディスプレイ装置５０に出力されるように構成されている。
【００２８】
制御部２１は、取得済の現在のＥＰＧ９０に基づいて、放送信号を受信する時間帯のうち所定の時間帯を判断し、所定の時間帯を除く時間帯に受信部２２に新しいＥＰＧ９０の情報を取得させる制御を行うように構成されている。また、制御部２１は、ユーザにより視聴される可能性の高い放送がある時間帯を判断し、ユーザにより視聴される可能性の高い放送がある時間帯を除く時間帯に受信部２２に新しいＥＰＧ９０の情報を取得させる制御を行うように構成されている。なお、第１実施形態では、所定の時間帯とは、ユーザにより視聴される可能性の高い放送がある時間帯である。また、所定の時間帯を除く時間帯とは、番組が放送されていない時間帯である。
【００２９】
また、制御部２１は、受信部２２がホスト局を受信している場合には、取得済の現在のＥＰＧ９０に基づいて、番組が放送されているか否を判断するように構成されている。また、制御部２１は、番組が放送されていないと判断した場合に受信部２２に新しいＥＰＧの情報を取得させる制御を行うように構成されている。また、制御部２１は、現在のＥＰＧ９０を取得した新しいＥＰＧに更新する制御を行うように構成されている。また、制御部２１は、受信部２２によって受信された放送信号に基づく映像を２４時間連続してＨＤＤ部２８に記録する制御を行うことが可能に構成されている。また、制御部２１は、番組が放送されていないと判断した場合には映像の記録を停止して受信部２２に新しいＥＰＧの情報を取得させる制御を行うように構成されている。具体的には、制御部２１は、新しいＥＰＧの情報の配信時刻に番組が放送されていないと判断した場合に受信部２２に新しいＥＰＧの情報を取得させる制御を行うように構成されている。また、制御部２１は、現在時刻に番組が放送されていなくても新しいＥＰＧの情報の配信時刻までに番組の放送がある場合には、新しいＥＰＧの情報を取得せずに映像の記録を継続する制御を行うように構成されている。
【００３０】
一方、制御部２１は、番組が放送されていると判断した場合には映像の記録を継続する制御を行うように構成されている。また、制御部２１は、新しいＥＰＧの情報を取得した後、次の番組が開始されるまでの間のタイミングで映像の記録を再開させる制御を行うように構成されている。映像の記録の再開は、たとえば、新しいＥＰＧの情報を取得して更新した直後のタイミングに行われる。
【００３１】
また、制御部２１は、受信部２２がホスト局を受信している場合には、映像の記録を停止することなく受信部２２にホスト局が配信するＥＰＧの情報を取得させる制御を行うように構成されている。また、制御部２１は、取得済の現在のＥＰＧ９０と、取得される新しいＥＰＧの情報によって構成されるＥＰＧとを比較し、番組が変更されていると判断した場合には変更された番組についての映像の記録を停止する制御を行うように構成されている。
【００３２】
次に、図３を参照して、本実施形態のＨＤＤレコーダ１００の制御部２１によるＥＰＧ更新処理フローについて説明する。なお、第１実施形態では、受信部２２により非ホスト局のＢＢＢ放送が受信されている場合について説明する。また、ＥＰＧ更新処理フローは、ＨＤＤレコーダ１００の電源が入っている状態で継続して実行されている。
【００３３】
まず、ステップＳ１において、現在時刻に番組の放送があるか否かが判断される。ステップＳ１において、現在時刻（たとえば、２２時（図２参照））に番組の放送がある場合には、ステップＳ３に進み、映像の記録が継続される。そして、ＥＰＧ更新処理を終了する。また、現在時刻（たとえば、２４時（図２参照））に番組の放送がない場合には、ステップＳ２に進む。
【００３４】
ステップＳ２において、次のＥＰＧの情報の配信時刻（たとえば、２６時（図２参照））までに番組の放送があるか否かが判断される。次のＥＰＧの情報の配信時刻までに番組の放送がある場合には、ステップＳ３に進み、映像の記録が継続される。その後、ＥＰＧ更新処理を終了する。一方、次のＥＰＧの情報の配信時刻までに番組の放送がない場合には、ステップＳ４に進む。たとえば、図２を参照して、２４時になると、次のＥＰＧの情報の配信時刻である２６時まで番組の放送がないので映像の記録が停止される。ステップＳ４において、映像の記録が停止される。映像の記録が停止されると、ステップＳ５に進む。
【００３５】
次に、ステップＳ５において、ＥＰＧの情報の配信時刻になったか否かが判断される。ＥＰＧの情報の配信時刻になるまでこの判断が繰り返され、ＥＰＧの情報の配信時刻になると、ステップＳ６に進む。そして、ステップＳ６において、受信部２２によりＡＡＡ放送で配信されるＥＰＧの情報が取得されてＥＰＧ９０が更新される。この際、受信部２２により受信する放送局がＢＢＢ放送からＡＡＡ放送に切り替えられて、ＡＡＡ放送で配信されるＥＰＧの情報が取得される。
【００３６】
そして、ステップＳ７において、ＥＰＧ９０の更新後、映像の記録が再開される。これにより、更新されたＥＰＧによる映像の記録が行われる。この際、受信部２２により受信する放送局が再びＢＢＢ放送に切り替えられて、ＢＢＢ放送の映像の記録が再開される。その後、ＥＰＧ更新処理を終了する。
【００３７】
第１実施形態では、上記のように、取得済の現在のＥＰＧ９０に基づいて、放送信号を受信する時間帯のうち所定の時間帯を判断し、所定の時間帯を除く時間帯（番組が放送されていない時間帯）に受信部２２に新しいＥＰＧの情報を取得させる制御を行う制御部２１を設ける。これにより、所定の時間帯に、ＥＰＧの情報を取得するために、受信部２２が他の放送局に切り替わってしまうのを防止することができるので、ＥＰＧの情報を取得する際に、番組の途中で受信が中断されてしまうのを防止することができる。その結果、番組情報を取得する際に、番組の録画が中断されてしまうのを防止することができる。
【００３８】
第１実施形態では、上記のように、所定の時間帯を除く時間帯は、番組が放送されていない時間帯である。これにより、番組が放送されている場合に、ＥＰＧの情報を取得するために、受信部２２が他の放送局に切り替わってしまうのを防止することができるので、ＥＰＧの情報を取得する際に、番組の途中で受信が中断されてしまうのを防止することができる。
【００３９】
第１実施形態では、上記のように、受信部２２により受信された放送信号に基づく映像を２４時間連続して記録するためのＨＤＤ部２８をさらに設けるとともに、制御部２１を、取得済の現在のＥＰＧ９０に基づいて、番組が放送されていないと判断した場合には映像の記録を停止して受信部２２に新しいＥＰＧの情報を取得させる制御を行うように構成する。これにより、ＨＤＤ部２８に番組を２４時間記録させる設定を行っている場合でも、番組の放送がないときにＥＰＧの情報が取得されるので、番組を撮り損ねることなくＥＰＧの情報を取得することができる。
【００４０】
第１実施形態では、上記のように、制御部２１を、新しいＥＰＧの情報を取得した後で、ＥＰＧ９０を更新した直後のタイミングで映像の記録を再開させる制御を行うように構成する。これにより、新しいＥＰＧの情報を取得する際に、映像の記録を停止させても、次の番組の開始前には記録が再開されるので、番組を撮り損ねるのを確実に防止することができる。
【００４１】
第１実施形態では、上記のように、制御部２１を、取得済の現在のＥＰＧ９０と、取得される新しいＥＰＧとを比較し、番組が変更されていると判断した場合には変更された番組についての映像の記録を停止する制御を行うように構成する。これにより、番組が変更されている場合にも、ユーザが意図しない番組を記録するのを防止することができるので、省エネ化およびＨＤＤ部２８の容量の削減化を図ることができる。
【００４２】
（第２実施形態）
以下、図４および図５を参照して、本発明の第２実施形態によるＨＤＤレコーダ２００の構成について説明する。なお、ＨＤＤレコーダ２００は、本発明の「受信装置」の一例である。
【００４３】
この第２実施形態では、受信部２２を１つ設けた第１実施形態と異なり、３つの受信部２２１、２２２および２２３を設けたＨＤＤレコーダ２００について説明する。
【００４４】
図４および図５に示すように、第２実施形態によるＨＤＤレコーダ２００の制御回路部２０には、アンテナ４０によって受信された放送波から所望の放送局の信号波を選局受信する３つの受信部２２１、２２２および２２３が設けられている。また、３つの受信部２２１、２２２および２２３、それぞれにより受信された信号波から放送信号としての映像・音声信号およびＥＰＧ１９０の情報を含むサービス情報（ＰＳＩ／ＳＩ：Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を分離するデマルチプレクサ（ＤＥＭＵＸ）２３を備えている。なお、受信部２２１、２２２および２２３は、本発明の「放送受信部」の一例である。また、ＥＰＧ１９０の情報は、本発明の「番組情報」の一例である。
【００４５】
また、ＥＰＧの情報の配信時刻に、３つの受信部２２１、２２２および２２３のうちの複数の受信部が放送を受信していない場合には、より小さい番号が付された受信部によってＥＰＧの情報が取得される。すなわち、ＥＰＧの情報の取得に関する優先順位は、受信部２２１、２２２および２２３の順番で高い。また、制御部２１は、取得済の現在のＥＰＧ１９０に基づいて、３個の受信部２２１、２２２および２２３のうちの少なくとも１つの受信部により受信されている放送局の番組が放送されていないと判断した場合に、番組が放送されていないと判断された放送局の放送波を受信する受信部に新しいＥＰＧの情報を取得させる制御を行うように構成されている。
【００４６】
ユーザは、図５に示すように、ＨＤＤレコーダ２００が有するＯＳＤ（オンスクリーンディスプレイ）機能によって、ディスプレイ装置５０にＥＰＧ１９０を表示可能である。ＥＰＧ１９０には、ＥＰＧを配信するホスト局（ＡＡＡ放送）と、非ホスト局（ＢＢＢ放送およびＣＣＣ放送）との所定時刻における番組が表示されている。
【００４７】
なお、第２実施形態のその他の構成は、上記第１実施形態と同様である。
【００４８】
次に、図６を参照して、本実施形態のＨＤＤレコーダ２００の制御部２１によるＥＰＧ更新処理フローについて説明する。また、ＥＰＧ更新処理フローは、ＨＤＤレコーダ２００の電源が入っている状態で継続して実行されている。
【００４９】
まず、ステップＳ１１において、現在時刻に番組の放送が全ての放送局にあるか否かが判断される。ステップＳ１１において、現在時刻に番組の放送が全ての放送局にある場合（たとえば、５時〜２４時（図５参照））には、ステップＳ１３に進み、それぞれの放送局の映像の記録が継続される。そして、ＥＰＧ更新処理を終了する。また、現在時刻に番組の放送がいずれかの放送局でない場合には、ステップＳ１２に進む。たとえば、２４時では、ＢＢＢ放送およびＣＣＣ放送についての番組の放送がないのでステップＳ１２に進む。
【００５０】
ステップＳ１２において、番組の放送がない放送局について、次のＥＰＧの情報の配信時刻（たとえば、２６時（図５参照））までに番組の放送があるが否かが判断される。番組の放送がない放送局のいずれにも次のＥＰＧの情報の配信時刻までに番組の放送がある場合には、ステップＳ１３に進み、映像の記録が継続され、ＥＰＧ更新処理を終了する。一方、番組の放送がない放送局のいずれかに次のＥＰＧの情報の配信時刻までに番組の放送がない場合には、ステップＳ１４に進む。ステップＳ１４において、対応する受信部から受信した映像の記録を停止する。詳細には、番組の放送がない放送局のうち、最小の番号が付された受信部が受信する放送局の映像の記録を停止させる。たとえば、２４時の場合には、受信部２２２が受信する放送局の映像の記録を停止させる。また、最小の番号以外の番号が付された受信部（たとえば、受信部２２３）が受信する放送局の映像の記録は継続させる。
【００５１】
次に、ステップＳ１５において、ＥＰＧの情報の配信時刻になったか否かが判断される。ＥＰＧ配信時刻になるまでこの判断が繰り返され、ＥＰＧの情報の配信時刻になると、ステップＳ１６に進む。そして、ステップＳ１６において、受信部２２２によりＡＡＡ放送で配信されるＥＰＧの情報が取得され、ＥＰＧ１９０が更新される。この際、受信部２２２により受信する放送局がＢＢＢ放送からＡＡＡ放送に切り替えられて、ＡＡＡ放送で配信されるＥＰＧの情報が取得される。
【００５２】
そして、ステップＳ１７において、ＥＰＧ１９０の更新後、映像の記録が再開される。これにより、更新されたＥＰＧによる映像の記録が行われる。この際、受信部２２２により受信する放送局が再びＢＢＢ放送に切り替えられて、ＢＢＢ放送の映像の記録が再開される。その後、ＥＰＧ更新処理を終了する。
【００５３】
第２実施形態では、上記のように、取得済の現在のＥＰＧ１９０に基づいて、放送信号を受信する時間帯のうち所定の時間帯を判断し、所定の時間帯を除く時間帯（番組の放送がない時間帯）に受信部２２２に新しいＥＰＧの情報を取得させる制御を行う制御部２１を設ける。これにより、所定の時間帯に、ＥＰＧの情報を取得するために、受信部２２２が他の放送局に切り替わってしまうのを防止することができるので、ＥＰＧの情報を取得する際に、番組の途中で受信が中断されてしまうのを防止することができる。その結果、番組情報を取得する際に、番組の録画が中断されてしまうのを防止することができる。
【００５４】
第２実施形態では、上記のように、３個の受信部２２１、２２２および２２３を設けるとともに、取得済の現在のＥＰＧ１９０に基づいて、３個の受信部２２１、２２２および２２３のうちのいずれかの受信部により受信されている放送局の番組が放送されていないと判断した場合に、番組が放送されていないと判断された放送局の放送波を受信する受信部に新しいＥＰＧの情報を取得させる制御を行うように制御部２１を構成する。これにより、番組が放送されている放送局については、継続して番組を受信しながら、番組が放送されていない放送局に対応する受信部を用いてＥＰＧの情報を確実に取得することができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
上記第１および第２実施形態では、本発明の受信装置の一例としてＨＤＤレコーダを適用する例を示したが、本発明はこれに限られない。本発明では、たとえば、ＨＤＤレコーダ以外の受信装置に本発明を適用してもよい。たとえば、テレビジョン装置等に本発明を適用してもよい。
【００５７】
上記第１および第２実施形態では、本発明の所定の時間帯を除く時間帯が、番組が放送されていない時間帯である場合について説明したが、本発明はこれに限られない。本発明では、所定の時間帯を除く時間帯が、番組が放送されていない時間帯のみならず、たとえば、ＣＭ（Ｃｏｍｍｅｒｃｉａｌ  Ｍｅｓｓａｇｅ）が放送されている時間帯など、番組が放送されている時間帯で、かつ、ユーザが視聴しないことが予測される時間帯を含んでもよい。また、所定の時間帯を除く時間帯が、番組が放送されていない時間帯のみならず、所定の時間帯の後で、かつ、番組が終了する時刻までの番組終了直前の時間帯に番組情報を取得してもよい。なお、所定の時間帯の後で、かつ、番組が終了する時刻までの番組終了直前の時間帯は、電子番組表に基づいて、番組が終了する時刻以前の、たとえば、３分間などに任意に設定可能である。番組終了直前の時間帯は、ＣＭが放送される可能性が高い時間帯である。また、所定の時間帯を除く時間帯が、番組が放送されていない時間帯に加えて、たとえば、リアルタイム性を重視する番組（たとえば、ニュースや天気予報など）が放送される時間帯などを含んでもよい。
【００５８】
上記第２実施形態では、本発明の放送受信部としての３つの受信部２２１、２２２および２２３を設けた例を示したが、本発明はこれに限られない。本発明では、２つ、または、４つ以上の放送受信部を設けてもよい。
【００５９】
上記第２実施形態では、番組が放送されていないと判断された放送局の放送波を受信する本発明の放送受信部としての１つの受信部２２２により本発明の番組情報としてのＥＰＧの情報を取得する例を示したが、本発明はこれに限られない。本発明では、番組が放送されていないと判断された放送局の放送波を受信する、複数の放送受信部により番組情報を取得してもよい。これにより、番組情報を確実に取得することができる。
【００６０】
上記第１および第２実施形態では、本発明の映像記録部としてのＨＤＤ部を、放送信号に基づく映像を２４時間連続して記録させるように構成した例を示したが、本発明はこれに限られない。本発明では、たとえば、ユーザが指定した時間に放送信号に基づく映像を記録させるように映像記録部を構成してもよい。
【００６１】
上記第１および第２実施形態では、本発明の番組情報としてのＥＰＧの情報を取得して更新した直後に、映像の記録を再開させるように構成した例を示したが、本発明はこれに限られない。本発明では、番組情報を取得して更新した後、次の番組が開始されるまでの任意のタイミング、たとえば次の番組が始まる１０分前などに、映像の記録を再開させるように構成してもよい。
【００６２】
上記第１および第２実施形態では、本発明の映像記録部としてのＨＤＤ部を設けた、本発明の受信装置の一例としてＨＤＤレコーダを適用する例を示したが、本発明はこれに限られない。本発明では、映像記録部が設けられていない受信装置に本発明を適用してもよい。このように、映像記録部が設けられていない場合でも、ユーザの番組の視聴中に番組情報を取得する際にユーザによる番組の視聴が中断されてしまうのを防止することができる。
【００６３】
上記第１および第２実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００６４】
２１  制御部
２２、２２１、２２２、２２３  受信部（放送受信部）
２８  ＨＤＤ部（映像記録部）
９０、１９０  電子番組表
１００、２００  ＨＤＤレコーダ（受信装置）
【図１】
2013211746.tif 000003
【図２】
2013211746.tif 000004
【図３】
2013211746.tif 000005
【図４】
2013211746.tif 000006
【図５】
2013211746.tif 000007
【図６】
2013211746.tif 000008